(57)【要約】      （修正有）【課題】所定の組み合わせの複数枚のフィルムからなる多重積層フィルムを用い、各フィルム間を全面的に接着せずとも、食品等の被包装物を容易に包装することができるとともに、被包装物を取り出す際には容易に確実に開口することができる包装袋を提供する。【解決手段】外側フィルム２の片側に内側フィルム３が重ね合わされて製袋され、外側フィルムと内側フィルムとの間及び内側フィルム同士が互いに一体に熱溶着により封止される包装袋１であって、外側フィルムと内側フィルムとの間及び内側フィルム同士は封止部４１，４２でのみ熱溶着によって封止され、内側フィルム同士の熱溶着強度は、外側フィルムと内側フィルムとの熱溶着強度よりも低くされている。封止部を剥がして内部の被包装物を取り出す際、外側フィルムと内側フィルムとの熱溶着部からは剥離せず、内側フィルム同士の熱溶着部から剥離することができる。【選択図】図２
0003195068.tif 000002
【実用新案登録請求の範囲】
【請求項１】
第１フィルムと、第２フィルムと、を有し、
前記第１フィルムの片側に前記第２フィルムが重ね合わされて、前記第１フィルムが外側となり、前記第２フィルムが内側となるように製袋され、前記第１フィルムと前記第２フィルムとの間及び第２フィルム同士が互いに一体に熱溶着により封止される包装袋であって、
前記第１フィルムと前記第２フィルムとの間及び第２フィルム同士は封止部でのみ熱溶着によって封止され、
前記第２フィルム同士の熱溶着強度は、前記第１フィルムと前記第２フィルムとの熱溶着強度よりも低くされていることを特徴とする包装袋。
【請求項２】
前記第１フィルムは、内側に印刷層が設けられていることを特徴とする請求項１に記載の包装袋。
【請求項３】
前記第１フィルムは通気性を有し、前記第２フィルムは所定の領域に複数の開孔が形成されていることを特徴とする請求項１又は２に記載の包装袋。
【請求項４】
前記第１フィルム及び前記第２フィルムは互いに延伸度が異なる延伸ポリプロピレンフィルムによって形成されており、前記第１フィルムの延伸度は前記第２フィルムの延伸度よりも小さいことを特徴とする請求項１〜３のいずれかに記載の包装袋。
【請求項５】
前記第１フィルムは少なくとも内側の面がヒートシール加工されているヒートシール紙であり、前記第２フィルムはポリプロピレンフィルム又は直鎖状低密度ポリエチレンフィルムであることを特徴とする請求項１又は３に記載の包装袋。
【考案の詳細な説明】
【技術分野】
【０００１】
本考案は、食品の包装に最適な包装袋に関する。
【背景技術】
【０００２】
従来、食品を包装するために用いられている包装袋は、２枚のフィルムを重ね合わせてラミネート加工された積層フィルムを用いて作製されたものが多く使用されている。この積層フィルムは、２枚のフィルム間に印刷用インクが位置するようにして、美観の確保、食品への印刷インクの接触防止等の機能を備えている。この食品用袋は、通常１枚の積層フィルムから作製されたものが用いられている。
【０００３】
しかしながら、ラミネート加工によって作製された積層フィルムは高価であり、またラミネート加工には時間を要する。そのため、ラミネート加工によって作製された積層フィルムを用いた包装袋は、単価が上昇し、また製造に要する時間が長くなってしまう。そのため、複数枚のフィルムを重ね合わせたまま、特にラミネート加工を行わずとも複数枚のフィルムが積層状態を維持している積層フィルムを作製し、この積層フィルムにおけるそれぞれのフィルムがずれることなく食品の包装袋を作製できる、多重袋用フィルムが知られている（下記特許文献１）。
【０００４】
下記特許文献１に記載された多重袋用フィルムは、２層以上の相互に自由移動できるフィルムが巻回された多重積層フィルムであって、その多重積層フィルムの側縁部において、２層以上のフィルムを一体に結合する微細な傷痕群が密集して設けられている。この微細な傷痕群により、袋加工時に、２層以上のフィルムは位置ずれすることなく、自動製袋充填機を用いて容易に多重袋を製造することができる。
【先行技術文献】
【特許文献】
【０００５】
【特許文献１】特開平９−２０７２７８号公報
【考案の概要】
【考案が解決しようとする課題】
【０００６】
しかしながら、上記特許文献１に記載された多重袋製造用の多重積層フィルムは、２層以上のフィルムに対して、ラミネート加工は行われていないが、微細な傷痕群を設けており、加工の手間がかかってしまう。また、食品を包装するための包装袋としては、用途に応じた多種多様な性質の多重積層フィルムが要求されるが、市販の多重積層フィルムは種類が限られているため、所望のフィルムを組み合わせた多重積層フィルムを得ることができず、フィルム製造会社が提供する所定の組み合わせの多重積層フィルムしか使用することができない。
【０００７】
しかも、従来の多重積層フィルムを用いて作製された食品の包装袋は、食品を袋内に挿入した後に袋の開口部をヒートシールすることによって封口されているが、封口部分の強度が強くて食品を取り出す際に容易にかつ確実に開口することができないという課題がある。
【０００８】
本考案は、上記の課題を解決するために、所定の組み合わせの複数枚のフィルムからなる多重積層フィルムを用い、各フィルム間を全面的に接着せずとも、食品等の被包装物を容易に包装することができるとともに、被包装物を取り出す際には容易に確実に開口することができる包装袋を提供することを目的とする。
【課題を解決するための手段】
【０００９】
本考案の包装袋は、
第１フィルムと、第２フィルムと、を有し、
前記第１フィルムの片側に前記第２フィルムが重ね合わされて、前記第１フィルムが外側となり、前記第２フィルムが内側となるように製袋され、前記第１フィルムと前記第２フィルムとの間及び第２フィルム同士が互いに一体に熱溶着により封止される包装袋であって、
前記第１フィルムと前記第２フィルムとの間及び第２フィルム同士は封止部でのみ熱溶着によって封止され、
前記第２フィルム同士の熱溶着強度は、前記第１フィルムと前記第２フィルムとの熱溶着強度よりも低くされていることを特徴とする。
【００１０】
本考案の包装袋によれば、封後部における第２フィルム同士の熱溶着強度が第１フィルムと第２フィルムとの熱溶着強度よりも低くされているいるため、封口部を剥がして内部の被包装物を取り出す際、第１フィルムと第２フィルムとの熱溶着部からは剥離せず、第２フィルム同士の熱溶着部から剥離することができる。そのため、被包装物の取り出しが容易かつ確実となる。
【００１１】
また、調理パンなどを被包装物として包装袋で包装した際、包装袋内で被包装物が動いてしまうと、被包装物と接触しているフィルムに被包装物の一部が付着し、汚れが広がってしまっていた。この汚れを抑えるため、従来フィルムと被包装物との間に可動のフィルムを更に一枚余分に挟みこんでいた。本考案の包装袋によれば、封止されている箇所以外は重ね合わされているのみであるため、包装袋内で被包装物が動いたとしても、被包装物と接触し得る第２フィルムのみが被包装物とともに動き、被包装物が第２フィルムと接触していてもそれ以上汚れが広がることがなくなり、包装袋の美観が保持される。さらに、熱溶着させる箇所は封止部のみでよいため、フィルム全体を接着する必要のある積層フィルムやラミネートフィルムの製造と比較してコストを抑えることができ、安価に製造することができる。
【００１２】
本考案の包装袋においては、前記第１フィルムは、内側に印刷層が設けられていてもよい。
【００１３】
包装袋の内側には、内部に挿入される被包装物に対する説明、美観を与えること等の目的で各種の図形や文字が印刷されている。本考案の包装袋によれば、第１フィルムと第２フィルムとの熱溶着部が剥離し難いため、封口部を剥がして内部の被包装物を取り出す際に、印刷インクが付与されている第１フィルムの内面が露出することがないため、被包装物に印刷インクが接触し難くなる。
【００１４】
本考案の包装袋においては、前記第１フィルムは通気性を有し、前記第２フィルムは所定の領域に複数の開孔が形成されているものとしてもよい。
【００１５】
調理直後の熱い状態で包装された被包装物は、その後の自然冷却される間に水蒸気及び油分などが発生する。第２フィルムに複数の開口が形成されていると、被包装物から発生した余分な水蒸気を外部に放出し得るため、包装袋内の水分量を適量に保持することができ、複数の開口を形成しない場合と比較して、より長期間被包装物の品質を保持できる。また、このような構成を備えていると、包装されたままの被包装物を電子レンジで直接加熱しても、膨張した内部の空気及び水蒸気を外部に放出し得るため、包装袋が破れることがなくなる。特に、包装袋を載置する際に上面となる領域にのみ複数の開口を形成すれば、載置面からは水分が放出されず、包装袋が載置された箇所が濡れてしまうことがなくなる。
【００１６】
本考案の包装袋においては、前記第１フィルム及び前記第２フィルムは互いに延伸度が異なる延伸ポリプロピレンフィルムによって形成されており、前記第１フィルムの延伸度は前記第２フィルムの延伸度よりも小さいことものとしてもよい。
【００１７】
ポリプロピレンフィルムは、耐熱性が良好であるとともに、防湿性、透明性に優れ、腰の強さも大きいため、特に電子レンジ加熱用の包装袋製造用部材として適している。本考案の包装袋によれば、第１フィルム及び第２フィルムとして互いに延伸度が異なる延伸ポリプロピレンフィルムを用いており、しかも、第１フィルムの延伸度は第２フィルムの延伸度よりも小さいものを用いているため、容易に第２フィルム同士の熱溶着強度を第１フィルムと第２フィルムとの熱溶着強度よりも低い状態となし得る。
【００１８】
本考案の包装袋においては、前記第１フィルムは少なくとも内側の面がヒートシール加工されているヒートシール紙であり、前記第２フィルムはポリプロピレンフィルムであってもよい。
【００１９】
紙は美感が良好であり、高級感があるため、外包装には適しているが、通気性、通湿性が高く、紙のみでの包装は被包装物の品質保持には不適当である。本考案によれば、品質が保持できて美感が良好であり、さらに開封が容易な包装袋を提供できるようになる。
【図面の簡単な説明】
【００２０】
【図１】内部に被包装物を封入した状態の実施形態の包装袋の背面図である。
【図２】図２Ａは図１のIIＡ−IIＡ線に沿った断面図であり、図２Ｂは図２ＡのIIＢ部分の拡大図である。
【考案を実施するための形態】
【００２１】
以下、図面を参照して、本考案を実施するための形態を説明する。但し、以下に示す実施形態は、本考案の技術思想を具体化するための包装袋を例示するものであって、本考案をこれらに特定することを意図するものではなく、実用新案登録請求の範囲に含まれるその他の実施形態のものにも均しく適応し得るものである。
【００２２】
[実施形態]
図１及び図２を参照して、本考案の実施形態に係る包装袋を用いた包装体を説明する。なお、図１は本考案の実施形態に係る包装体の背面図、図２Ａは図１のIIＡ−IIＡ線に沿った断面図、図２Ｂは図２ＡのIIＢ部分の拡大図である。
【００２３】
図１、図２に示すように、実施形態に係る包装袋を用いた包装体１は、外側フィルム２と、内側フィルム３とを、筒状に湾曲させて両側縁部を重ね合わせ、重ね合わせた両側縁部を熱溶着することによって縦封止部４０を形成するとともに、縦封止部４０に対して垂直に交差する方向の上方横封止部４１及び下方横封止部４２を同じく熱溶着により形成したものであって、包装体１の内部には被包装物５が包装されている。
【００２４】
なお、上方横封止部４１及び下方横封止部４２の少なくとも一方が封口されておらず、内部に被包装物５が挿入されていないものが本考案の包装袋に相当する。また、外側フィルム２は本考案の第１フィルムに対応し、内側フィルムは本考案の第２フィルムに対応する。
【００２５】
包装体１においては、外側フィルム２と内側フィルム３とは、互いに積層されているが、接着されてはおらず、容易に剥離可能である。そして、上方横封止部４１においては、図２Ｂに示したように、外側フィルム２の一方２ａ、内側フィルム３の一方３ａ、内側フィルムの他方３ｂ、外側フィルムの他方３ｂが、互いに一体に熱溶着されている。封止されている箇所以外は重ね合わされているのみであるため、包装袋内で被包装物が動いたとしても、被包装物と接触し得る第２フィルムのみが被包装物とともに動き、被包装物が第２フィルムと接触していてもそれ以上汚れが広がることがなくなり、包装袋の美観が保持される。
【００２６】
外側フィルム２は酸素透過性のある単層のフィルムであればよく、例えば、延伸ポリプロピレン（ＯＰＰ）フィルム、ヒートシール紙などが用いられる。また、無延伸ポリプロピレン（ＣＰＰ）フィルム、低密度ポリエチレン（ＬＤＰＥ）フィルム、直鎖状低密度ポリエチレン（ＬＬＤＰＥ）フィルム、ポリエチレン（ＰＥ）フィルム、ポリエチレンテレフタラート（ＰＥＴ）フィルム、ナイロン（Ｎｙ）フィルムなどでもよい。
【００２７】
内側フィルム３も、外側フィルム２と同様に酸素透過性のある単層のフィルムであればよく、例えば、延伸ポリプロピレン（ＯＰＰ）フィルム、無延伸ポリプロピレン（ＣＰＰ）フィルム、低密度ポリエチレン（ＬＤＰＥ）フィルム、直鎖状低密度ポリエチレン（ＬＬＤＰＥ）フィルム、ポリエチレン（ＰＥ）フィルムなどがある。
【００２８】
本実施形態においては、内側フィルム３同士の熱溶着強度、すなわち、一方の内側フィルム３ａと他方の内側フィルム３ｂとの間の熱溶着強度は、外側フィルム２と内側フィルム３との熱溶着強度、すなわち、一方の外側フィルム２ａと一方の内側フィルム３ａとの間及び他方の外側フィルム２ｂと他方の内側フィルム３ｂとの間の熱溶着強度よりも小さいものを用いる必要がある。そのため、本実施形態においては、外側フィルム２及び内側フィルム３として互いに延伸度が異なる延伸ポリプロピレンフィルムを用い、内側フィルム３の延伸度は外側フィルム２の延伸度よりも小さいものを用いている。このような延伸度の相違により、内側フィルム２同士の熱溶着強度は外側フィルム２と内側フィルム３との熱溶着強度よりも小さくなる。
【００２９】
ただし、外側フィルム２及び内側フィルム３としては、上述したそれぞれの単層フィルムのうちから、内側フィルム２同士の熱溶着強度が外側フィルム２と内側フィルム３との熱溶着強度よりも小さくなるものを適宜に選択して用いればよい。例えば、本実施形態の上記以外の外側フィルム２と内側フィルム３の組み合わせとして、ＯＰＰフィルムとＣＰＰフィルム、ヒートシール紙とＯＰＰフィルム、ヒートシール紙とＣＰＰフィルム、ヒートシール紙とＬＬＤＰＥフィルムなどがある。
【００３０】
なお、実施形態で用いた外側フィルム２が内側フィルム３と向かい合う面には、適宜印刷が施されている。この印刷は、内部に挿入される被包装物に対する説明、美観を与えること、消費者に被包装物をアピールすること等の目的で、各種の図形や文字からなっている。実施形態の包装体１によれば、縦横の熱溶着部４０、４１の何れの箇所において剥離しても、内側フィルム３同士の熱溶着面は容易に剥離するが、外側フィルム２と内側フィルム３との間の熱溶着面は剥離し難いため、外側フィルムの内面、すなわち印刷面が露出し難くなっている。
【００３１】
そのため、本考案の包装袋を用いて製造された包装体によれば、封口部を剥がして内部の被包装物５を取り出す際に、印刷インクが付与されている外側フィルム２の内面が露出することがないため、被包装物に印刷インクが接触し難くなる。
【００３２】
なお、実施形態の包装体に用いる包装袋は、従来と同様の包装袋の製造装置を用い、次のようにして製造することができる。まず、長尺であって、かつ、被包装物が包装可能な幅を有する外側フィルムと内側フィルムを別々に包装袋の製造装置み送り込み、外側フィルムと内側フィルムとを内側フィルムが内側となるように重ね合わせて積層シートを得る。このとき、外側フィルムと内側フィルムとは、互いに接しているが接着されていない状態とする。
【００３３】
次いで、積層シートを第２フィルム同士が互いに対向するように配置して製袋する。この場合においては、１枚の積層シートを折り曲げて必要な箇所を熱溶着することによって製袋してもよく、１対の積層シートを重ね合わせて周囲を熱溶着することによって製袋してもよい。その後、製袋された袋部分を所望の大きさに切断することにより、実施形態の包装体に用いる包装袋を製造することができる。
【００３４】
[変形例]
本考案の実施形態においては、外側フィルム２及び内側フィルム３として、特殊加工されていないものを用いた例を示したが、本考案はそれ以外のものに対しても適用可能である。すなわち、外側フィルム２としては通気性を有するものを採用し、内側フィルム３としては複数の開口が形成されているものを用いることができる。
【００３５】
内側フィルム３に形成する複数の開口は、図１における縦熱封止部４０と対向する面に規則的に設けるとよい。開口の径は５ｍｍ〜１０ｍｍとすることができる。このような開口を設けることにより、内側フィルム３として防湿性の高いフィルムであるＯＰＰフィルム等を用いたとしても、内部の水蒸気を包装袋１の外部へと排出することができ、包装袋１内の水分量を調節できるようになる。このため、包装後に水分が発生してしまう被包装物の包装に適するようになる。また、開口を縦熱封止部４０と対向する面に設けることで、包装袋を載置した際、載置面と対向する面から水蒸気などが排出されるため、載置した箇所での結露などが発生せず、載置した箇所が濡れてしまうことがなくなる。
【００３６】
加えて、外側フィルム２としては通気性を有するものを採用し、内側フィルム３としては複数の開口が形成されているものを用いれば、包装されたままの被包装物を電子レンジで直接加熱しても、膨張した内部の空気及び水蒸気を外部に放出し得るため、包装袋が破れることがなくなる。
【符号の説明】
【００３７】
１…包装袋
２、２ａ、２ｂ…外側フィルム
３、３ａ、３ｂ…内側フィルム
４０…縦封止部
４１…上方横封止部
４２…下方横封止部
５…被包装物
【図１】
0003195068.tif 000003
【図２】
0003195068.tif 000004